(57)【要約】【課題】加湿性能を向上できるとともに、水に含有される不純物が透湿膜に付着、堆積されにくいようにして、加湿性能を長期間維持できる気化式加湿機を提供することを目的とする。【解決手段】内周側円筒部１８と外周側円筒部２０と、これらに連通し、放射状に形成され、両側面に透湿膜２３を張設した複数の加湿エレメント２２とで加湿モジュール１７を構成し、前記加湿エレメント２２の間を加温された空気を通過させて、前記透湿膜２３から蒸発した水蒸気を吸収させるとともに、加湿モジュール１７を回動させることにより、水に混合した不純物が前記透湿膜２３の内側あるいはその近傍に堆積することを防止する。【選択図】  図４
2004317016.tif 000002
【特許請求の範囲】
【請求項１】
一側面に吸込口を、他側面に吹出口を形成したケースと、同ケース内に仕切板により上下に区画形成された給水タンク収納室及び機械室と、前記給水タンク収納室に収納され、下面に備えた給水弁から前記仕切板に形成された水受部に水を供給する給水タンクと、前記水受部から垂下し前記吸込口と対向する側に折曲されるとともに、先端に接続部を備えた給水管と、前記吹出口に対向するように前記機械室に設けられた送風機と、内周側円筒部と外周側円筒部と、これらの間に連通して放射状に設けられた加湿エレメントとからなり、前記内周側円筒部の一側を前記給水管の接続部に回動自在に接続し、他側を駆動モータに連結した加湿モジュールとからなり、
前記給水タンクから前記給水管を介して前記加湿モジュールの内周側円筒部に水を導びく一方、前記駆動モータにより前記加湿モジュールを回動させながら、前記吸込口から吸込まれた空気を前記加湿エレメントの間を通過させて、同加湿エレメントから蒸発した水蒸気を吸収させ、前記送風機により前記吹出口から送出してなることを特徴とする気化式加湿機。
【請求項２】
前記吸込口の裏面に、方形状の筐体前面側に流入口を、背面側に流出口を備え、前記筐体内に複数の電熱線を張設した前記吸込口から吸込まれた空気を加温して前記加湿モジュールに送出する加熱ヒータを設けてなることを特徴とする請求項１に記載の気化式加湿機。
【請求項３】
前記送風機が、前記加湿モジュールに向かい流入口を開口するとともに前記吹出口に対峙して流出口を開口したファンケーシングと、多数のブレードを備え同ファンケーシング内に収納された遠心式ファンと、前記ファンケーシングの背面側に装着され前記遠心式ファンを駆動するファンモータとからなることを特徴とする請求項１に記載の気化式加湿機。
【請求項４】
前記加湿エレメントの右側板及び左側板に内周側から外周側に縦長状の孔を奥部に向かい複数穿設するとともに、同孔に透湿膜を張設してなることを特徴とする請求項１に記載の気化式加湿機。
【請求項５】
前記透湿膜が、ポリエチレンあるいはポリオレフィン系の樹脂材からなることを特徴とする請求項１又は請求項４に記載の気化式加湿機。
【発明の詳細な説明】
【０００１】
【発明の属する技術分野】
本発明は、複数の加湿エレメントを備えた気化式加湿機に関わり、より詳細には、水に含有される不純物が加湿エレメント内に堆積されにくいようにした構成に関する。
【０００２】
【従来の技術】
従来の気化式加湿機は、例えば図５（Ａ）で示すように、ケース３０の一側に吸込口３１を、他側に吹出口３２を設け、前記吸込口３０と前記吹出口３２とを結ぶ流路に、フィルター３３と、下部に露受皿３６を備えた熱交換器３５と、モータ３８により回動自在に支承された複数の加湿エレメント３７と、その下方に備えられた加湿用水槽３９と、前記吹出口３２に臨んで送風機４０とを設けている。矩形状に形成された前記加湿エレメント３７は、図５（Ｂ）で示すように、平行して多数並べられるとともに、四側をスペーサ４１により連結され、また中心部に前記モータ３８に連係する駆動軸４２を挿通させており、前記モータ３８の駆動により常時回動するようになっている。（特許文献１参照）
【０００３】
前記加湿用水槽３９は、電磁開閉弁を備えた給水管４３と、排出管４４と、水位センサ４５とを備え、貯留された水の水位が一定量以下に下がると前記水位センサ４５がそれを検出し、前記給水管４３に備えられた電磁開閉弁を開放し、水を補給するようになっている。前記加湿エレメント３７は、図５（Ａ）で示すように、下端部を前記加湿用水槽３９に貯留された水に浸しながら前記モータ３８により常時回動するようになっており、毛細管現象により水を吸い上げる一方、周囲を流れる空気にそれを放湿するようになっている。
【０００４】
前記吸込口３１から吸込まれた空気は前記フィルター３３に塵埃を除去され、次に、前記熱交換器３５により冷却あるいは加熱される。引続いて前記加湿エレメント３７の周囲を通過することにより加湿され、湿潤した空気となって前記送風ファン４０により前記吹出口３２から室内に送出されるようになっている。
【０００５】
しかしながら、前記加湿用水槽３９に一端部を浸しながら回動する前記加湿エレメント３７内には、水に含有されるマグネシウム等の不純物が析出するとともに次第に堆積し、これが前記加湿エレメント３７からの水蒸気の放出を阻害して加湿性能に影響を及ぼす場合があった。
【０００６】
【特許文献１】
実開平４−３９６２１号
【０００７】
【発明が解決しようとする課題】
本発明は上記問題点に鑑み、水に含有される不純物が加湿エレメント内に蓄積されにくいようにして、加湿性能を維持できる気化式加湿機を提供することを目的とする。
【０００８】
【課題を解決するための手段】
本発明は上記課題を解決するため、一側面に吸込口を、他側面に吹出口を形成したケースと、同ケース内に仕切板により上下に区画形成された給水タンク収納室及び機械室と、前記給水タンク収納室に収納され、下面に備えた給水弁から前記仕切板に形成された水受部に水を供給する給水タンクと、前記水受部から垂下し前記吸込口と対向する側に折曲されるとともに、先端に接続部を備えた給水管と、前記吹出口に対向するように前記機械室に設けられた送風機と、内周側円筒部と外周側円筒部と、これらの間に連通して放射状に設けられた加湿エレメントとからなり、前記内周側円筒部の一側を前記給水管の接続部に回動自在に接続し、他側を駆動モータに連結した加湿モジュールとからなり、
前記給水タンクから前記給水管を介して前記加湿モジュールの内周側円筒部に水を導びく一方、前記駆動モータにより前記加湿モジュールを回動させながら、前記吸込口から吸込まれた空気を前記加湿エレメントの間を通過させて、同加湿エレメントから蒸発した水蒸気を吸収させ、前記送風機により前記吹出口から送出してなる構成となっている。
【０００９】
また、前記吸込口の裏面に、方形状の筐体前面側に流入口を、背面側に流出口を備え、前記筐体内に複数の電熱線を張設した前記吸込口から吸込まれた空気を加温して前記加湿モジュールに送出する加熱ヒータを設けてなる構成となっている。
【００１０】
また、前記送風機が、前記加湿モジュールに向かい流入口を開口するとともに前記吹出口に対峙して流出口を開口したファンケーシングと、多数のブレードを備え同ファンケーシング内に収納された遠心式ファンと、前記ファンケーシングの背面側に装着され前記遠心式ファンを駆動するファンモータとからなる構成となっている。
【００１１】
また、前記加湿エレメントの右側板及び左側板に内周側から外周側に縦長状の孔を奥部に向かい複数穿設するとともに、同孔に透湿膜を張設してなる構成となっている。
【００１２】
更に、前記透湿膜が、ポリエチレンあるいはポリオレフィン系の樹脂材からなる構成となっている。
【００１３】
【発明の実施の形態】
以下、本発明の実施の形態を、添付図面に基づいた実施例として詳細に説明する。
図１は本発明による気化式加湿機を示す外観斜視図であり、図２はその内部構成を示す分解斜視図であり、図３は断面図である。また図４は加湿モジュールを示す斜視図と断面図である。
本発明による気化式加湿機は、図１で示すように、方形状に形成されたケース１の側面に複数の桟により吸込口４を形成し、前面側方に複数の桟により吹出口を形成するとともに、上面にヒンジ６ａにより開閉自在となった給水タンク着脱蓋６を設けている。
【００１４】
前記ケース１内の上方は、図３で示すように、仕切板１ａにより上下に区画され、上部区画には給水タンク収納室２が、下部区画には加湿モジュール及び送風機等を配設した機械室３が設けられている。前記給水タンク収納室２には、下面にキャップ状の給水弁７ａを備えた樹脂材からなる方形状の給水タンク７が収納され、前記仕切板１ａの前記給水弁７ａに対応する部位には下方に窪む水受部１ｂが形成されている。同水受部１ｂには、図２で示すように円柱状の押圧片１ｃが立設されており、同押圧片１ｃが前記給水弁７ａ内部に備えられた弁部を押圧すると前記給水タンク７内に貯留された水が前記水受部１ｂに供給されるようになっている。また同水受部１ｂの底面には、下部を後述する加湿モジュール側に折曲されるとともに、これが回動自在となるように接続され、前記水受部１ｂに貯留された水を供給する給水管１３が垂下されている。
【００１５】
前記機械室３には、前記吸込口４に対峙して加熱ヒータ８が設けられている。同加熱ヒータ８は方形状の筐体前面側に流入口を、背面側に流出口を備え、筐体内に複数の電熱線を張設しており、前記吸込口４から吸込まれた空気を加温して図２で示すような円筒状に形成された加湿モジュール１７に、それを送出するようになっている。同加湿モジュール１７の背面側には、これから送出された湿潤した空気を前記吹出口５から室内に送出する送風機９が設けられ、同送風機９は、前記加湿モジュール１７に向かい流入口１０ａを開口するとともに前記吹出口５に対峙して流出口１０ｂを開口した断面インボリュート曲線状のファンケーシング１０と、多数のブレードを備え同ファンケーシング１０内に収納された円筒状の遠心式ファン１１と、前記ファンケーシング１０の背面側に装着され前記遠心式ファン１１を駆動するファンモータ１２とからなっている。
【００１６】
前記加湿モジュール１７は図４（Ａ）の斜視図及び図４（Ｂ）の断面図で示すように、内周側円筒部１８と外周側円筒部２０と、これらを連結する放射状に複数形成された加湿エレメント２２とからなり、図２で示すように、前記内周側円筒部１８の一側外周側は前記ケース１の底面に立設された第一支持金具１４により回動自在に支承される一方、一側内周側は、前記給水管１３の先端部に膨出するように形成されシール部材を備えた接続端部１３ａに相対的に回動自在となるように接続されている。また内周側円筒部１８の他側は、前記ケース１の底面から立設された第二支持金具１５に固定された駆動モータ１６に連結され、同駆動モータ１６が始動すると前記加湿モジュール１７は一定方向に低速で回動するようになっている。
【００１７】
前記加湿モジュール１７の内周側円筒部１８内部は、図４（Ｂ）で示すように、前記給水管１３から供給された水が充填される内周側充填部１９となっており、前記外周側円筒部２０を構成する側板２０ａと側板２０ｂとの間には外周側充填部２１が形成されている、前記内周側充填部１９と前記外周側充填部２１とに連通する加湿エレメント２２は、内周側から外周側へ長孔を奥部方向に複数穿設した右側板２２ａと、前記長孔に相対応する長孔を複数穿設した左側板２２ｂと、両長孔に張設されたポリエチレンあるいはポリオレフィン系の樹脂材からなる多孔性の透湿膜２３とからなり、同透湿膜２３は水の粒子の通過は遮断する一方、水蒸気の分子は適宜通過させることができるようになっており、前記右側板２２ａと前記左側板２２ｂとの間に形成された中空部２２ｃに水が充填されると、水蒸気を通過させ、それを周囲に放出するようになっている。
【００１８】
次に、動作について説明する。前記給水タンク７に貯留された水が前記水受部１ｂに供給されると、供給された水は前記給水管１３を介して前記加湿モジュール１７の内周側充填部１９に充填されるとともに、前記加湿エレメント２２の中空部２２ｃをを通り前記外周側充填部２１にも充填されるようになっている。続いて前記駆動モータ１６を始動させると、同駆動モータ１６に連結された前記加湿モジュール１７は低速で回動し始める。
【００１９】
前記吸込口４から吸込まれた室内の空気は、図３の矢印で示すように、前記加熱ヒータ８を通過することにより加温され飽和蒸気圧を増加させる。続いて回動する前記加湿モジュール１７に備えられた加湿エレメント２２の間を通過することにより、前記透湿膜２３から放出される水蒸気を吸収して湿潤な空気となり、前記流入口１０ａから前記送風機９に流入する。流入した空気は前記遠心式ファン１１により前記流出口１０ｂを介して前記吹出口５から再び室内に送出されるようになっている。
【００２０】
上記したように、円筒状に形成された前記加湿モジュール１７が回動することにより、前記給水タンク７から供給される水に混合したマグネシウム等の不純物が、前記透湿膜２３の内側あるいはその近傍に析出し付着、堆積する現象を、不純物を周囲に拡散させて防止するようになっており、不純物の析出による加湿能力の低下を防ぎ、その性能を長期間維持できるようになっている。
【００２１】
【発明の効果】
以上説明したように、本発明によると、円筒状に形成された加湿モジュール内に、透湿膜を両側面に張設した加湿エレメントを放射状に設け、その間を加温された空気を通過させることにより加湿能力の向上が見込めるとともに、水に混合した不純物が透湿膜の内側あるいはその近傍に堆積することを防止できるようになっており、加湿性能を長期間維持できる気化式加湿機とすることができるようになっている。
【図面の簡単な説明】
【図１】本発明による気化式加湿機を示す外観斜視図である。
【図２】本発明による気化式加湿機の内部構成を示す分解斜視図である。
【図３】本発明による気化式加湿機の断面図である。
【図４】（Ａ）は加湿モジュールの斜視図である。
（Ｂ）はその断面図である。
【図５】（Ａ）は従来の気化式加湿機を示す断面図である。
（Ｂ）はその要部斜視図である。
【符号の説明】
１  ケース
１ａ  仕切板
１ｂ  水受部
１ｃ  押圧片
２  給水タンク収納室
３  機械室
４  吸込口
５  吹出口
６  給水タンク着脱蓋
６ａ  ヒンジ
７  給水タンク
７ａ  給水弁
８  加熱ヒータ
８ａ  電熱線
９  送風機
１０  ファンケーシング
１０ａ  流入口
１０ｂ  流出口
１１  遠心式ファン
１２  ファンモータ
１３  給水管
１３ａ  接続端部
１４  第一支持金具
１５  第二支持金具
１６  駆動モータ
１７  加湿モジュール
１８  内周側円筒部
１９  内周側充填部
２０  外周側円筒部
２０ａ、２０ｂ  側板
２１  外周側充填部
２２  加湿エレメント
２２ａ  右側板
２２ｂ  左側板
２２ｃ  中空部
２３  透湿膜
【図１】
2004317016.tif 000003
【図２】
2004317016.tif 000004
【図３】
2004317016.tif 000005
【図４】
2004317016.tif 000006
【図５】
2004317016.tif 000007